(57)【要約】【課題】  デジタルコンテンツ出力装置に依存することがなく、ユーザが携帯する携帯端末に依存した操作方法で、デジタルコンテンツ出力装置からデジタルコンテンツを出力する。【解決手段】  携帯端末（２０）は、外部記憶装置（２１）内の１以上のデジタルコンテンツに関する携帯端末用コンテンツ情報を取得し、その携帯端末用コンテンツ情報に基づいて、１以上のデジタルコンテンツの中からユーザ所望のデジタルコンテンツを選択するためのコンテンツ選択ＧＵＩを生成して表示し、そのコンテンツ選択ＧＵＩを用いて選択されたユーザ所望のデジタルコンテンツを識別するための選択コンテンツ情報をデジタルコンテンツ出力装置（３０）に送信する。出力装置（３０）は、携帯端末（２０）から受信した選択コンテンツ情報から識別されるデジタルコンテンツを、同一の外部記憶装置（２１）内から取出して表示する。【選択図】図１
2005157565.tif 000002
【特許請求の範囲】
【請求項１】
ユーザが携帯可能な情報処理端末である携帯端末と、前記携帯端末と通信可能なコンテンツ出力装置とを備えるコンテンツ出力システムであって、
前記携帯端末は、
ディスプレイ画面と、
前記携帯端末と通信可能に接続された外部記憶装置に記憶されている１以上のコンテンツに関する携帯端末用コンテンツ情報を取得する取得手段と、
前記取得手段により取得した携帯端末用コンテンツ情報を記憶する記憶手段と、
前記記憶手段に記憶された携帯端末用コンテンツ情報に基づいて、前記１以上のコンテンツの中からユーザが所望のコンテンツを選択するための選択画面を前記ディスプレイ画面に表示する表示手段と、
前記ユーザにより選択されたコンテンツを識別する選択コンテンツ情報を前記コンテンツ出力装置に送信する携帯端末側送信手段と
を備え、
前記コンテンツ出力装置は、
前記携帯端末から前記選択コンテンツ情報を受信する出力装置受信手段と、
前記受信した選択コンテンツ情報から識別される前記選択されたコンテンツを、前記コンテンツ出力装置と通信可能に接続された同一の又は別の前記外部記憶装置内の前記１以上のコンテンツの中から取出す取出し手段と、
前記取出されたコンテンツを出力するコンテンツ出力手段と
を備えるコンテンツ出力システム。
【請求項２】
前記コンテンツ情報は、前記外部記憶装置から抽出された、前記１以上のコンテンツの属性に関するコンテンツ属性情報である、
請求項１記載のコンテンツ出力システム。
【請求項３】
前記コンテンツ出力装置は、
前記外部記憶装置内の前記１以上のコンテンツに関する出力装置用コンテンツ情報を取得する出力装置取得手段と、
前記取得された出力装置用コンテンツ情報を前記携帯端末に送信する出力装置送信手段と
を備え、
前記携帯端末は、
前記コンテンツ出力装置から前記出力装置用コンテンツ情報を受信する携帯受信手段と、
前記受信した出力装置用コンテンツ情報に基づいて、前記携帯端末用コンテンツ情報を更新する情報更新手段と
を更に備える、
請求項１記載のコンテンツ出力システム。
【請求項４】
前記出力装置取得手段は、以下の（１）〜（３）の処理、
（１）前記取出し手段が前記識別されたコンテンツを取出すことができない場合に、その旨を表す選択コンテンツ不存在情報を前記出力装置用コンテンツ情報として生成する、
（２）前記携帯端末から前記出力装置受信手段が受信する前記携帯用コンテンツ情報と、前記同一の又は別の外部記憶装置内の前記１以上のコンテンツとに基づいて、前記ユーザによって選択可能であるが前記取出し手段が取出すことができない不足コンテンツ、及び／又は、前記ユーザによって選択不可能であるが前記取出し手段が取出すことができる余剰コンテンツを把握し、把握された不足コンテンツ及び／又は余剰コンテンツに基づく差分コンテンツ情報を前記出力装置用コンテンツ情報として生成する、
（３）前記携帯端末から前記出力装置受信手段が受信する前記携帯用コンテンツ情報を、前記同一の又は別の外部記憶装置内の前記１以上のコンテンツに関する情報にマッチするように修正した新たな携帯用コンテンツ情報を前記出力装置用コンテンツ情報として生成する、
の少なくとも１つの処理を実行し、
前記出力装置送信手段は、前記生成された選択コンテンツ不存在情報、前記差分コンテンツ情報及び／又は前記新たな携帯用コンテンツ情報を前記携帯端末に送信する、
請求項３記載のコンテンツ出力システム。
【請求項５】
前記外部記憶装置が前記携帯端末と通信不可能に切断された後に、前記前記表示手段が前記選択画面を生成する、又は、前記送信手段が前記選択コンテンツ情報を前記コンテンツ出力装置に送信する、
請求項１記載のコンテンツ出力システム。
【請求項６】
前記携帯端末の前記記憶手段は不揮発性の記憶装置である、
請求項１記載のコンテンツ出力システム。
【請求項７】
ディスプレイ画面と、
前記携帯端末と通信可能に接続された外部記憶装置に記憶されている１以上のコンテンツに関するコンテンツ情報を取得する取得手段と、
前記取得手段により取得したコンテンツ情報を記憶する記憶手段と、
前記記憶手段に記憶されたコンテンツ情報に基づいて、前記１以上のコンテンツの中からユーザが所望のコンテンツを選択するための選択画面を前記ディスプレイ画面に表示する表示手段と、
前記ユーザにより選択されたコンテンツを識別する選択コンテンツ情報をコンテンツ出力装置に送信する送信手段と
を備える携帯端末。
【請求項８】
前記外部記憶装置が前記携帯端末と通信不可能に切断された後に、前記前記表示手段が前記選択画面を生成する、又は、前記送信手段が前記選択コンテンツ情報を前記コンテンツ出力装置に送信する、
請求項７載の携帯端末。
【請求項９】
前記携帯端末の前記記憶手段は不揮発性の記憶装置である、
請求項７記載の携帯端末。
【請求項１０】
ユーザが携帯可能な情報処理端末である携帯端末と通信可能なコンテンツ出力装置であって、
前記携帯端末と通信可能に接続された外部記憶装置内の１以上のコンテンツに関する携帯端末用コンテンツ情報に基づいて選択されたコンテンツを表す選択コンテンツ情報を前記携帯端末から受信する出力装置受信手段と、
前記受信した選択コンテンツ情報から識別される前記ユーザ所望のコンテンツを、前記コンテンツ出力装置と通信可能に接続された同一の前記外部記憶装置内の前記１以上のコンテンツから取出す取出し手段と、
前記取出されたコンテンツを出力するコンテンツ出力手段と、
前記外部記憶装置内の前記１以上のコンテンツに関する出力装置用コンテンツ情報を取得する出力装置取得手段と、
前記取得された出力装置用コンテンツ情報を前記携帯端末に送信する出力装置送信手段と
を備えるコンテンツ出力装置。
【発明の詳細な説明】
【技術分野】
【０００１】
本発明は、ユーザが携帯可能な情報処理端末である携帯端末を用いてコンテンツ出力装置からコンテンツを出力するための技術に関する。
【背景技術】
【０００２】
通信可能に接続された外部記憶装置からデータを読み出して表示する表示装置が一般に知られている（例えば特許文献１）。
【０００３】
【特許文献１】特開２００３−１０８１０５号公報。
【発明の開示】
【発明が解決しようとする課題】
【０００４】
特許文献１によれば、外部記憶装置に格納されているデータの表示のための操作は表示装置に依存する。このため、例えば、携帯端末（一例として携帯電話機）が撮影或いはダウンロードした画像ファイルを表示装置に表示させる場合、携帯電話機のディスプレイ画面で上記画像ファイル内の画像を閲覧するための操作方法と異なり、使い勝手が悪く不便であると感じるユーザがいると考えられる。このような問題点は、画像ファイル以外のデジタルコンテンツ（例えば、音楽ファイル、テキストファイル等）を出力する場合にも存在し得る。
【０００５】
従って、本発明の目的は、コンテンツ出力装置からコンテンツを出力する際の使い勝手を向上することにある。
【０００６】
本発明の他の目的は、後述の説明から明らかになるであろう。
【課題を解決するための手段】
【０００７】
本発明に従うコンテンツ出力システムは、ユーザが携帯可能な情報処理端末である携帯端末と、前記携帯端末と通信可能なコンテンツ出力装置とを備えるコンテンツ出力システムである。前記携帯端末は、ディスプレイ画面と、前記携帯端末と通信可能に接続された外部記憶装置に記憶されている１以上のコンテンツに関する携帯端末用コンテンツ情報を取得する取得手段と、前記取得手段により取得した携帯端末用コンテンツ情報を記憶する記憶手段と、前記記憶手段に記憶された携帯端末用コンテンツ情報に基づいて、前記１以上のコンテンツの中からユーザが所望のコンテンツを選択するための選択画面（例えばＧＵＩ（グラフィカル・ユーザ・インタフェース））を前記ディスプレイ画面に表示する表示手段と、前記ユーザにより前記選択画面を介して選択されたコンテンツを識別する選択コンテンツ情報を前記コンテンツ出力装置に送信する携帯端末側送信手段とを備える。前記コンテンツ出力装置は、前記携帯端末から前記選択コンテンツ情報を受信する出力装置受信手段と、前記受信した選択コンテンツ情報から識別される前記選択されたコンテンツを、前記コンテンツ出力装置と通信可能に接続された同一の又は別の前記外部記憶装置内の前記１以上のコンテンツ（この１以上のコンテンツは、例えば、外部記憶装置内のものであっても良いし、外部記憶装置から読み出されて前記コンテンツ出力装置の記憶手段に記憶されたものであっても良い）の中から取出す取出し手段と、前記取出されたコンテンツを出力するコンテンツ出力手段とを備える。
【発明の効果】
【０００８】
本発明によれば、コンテンツ出力装置からコンテンツを出力する際のユーザの使い勝手を向上することができる。
【発明を実施するための最良の形態】
【０００９】
以下、図面を参照して本発明の実施の形態を説明する。
【００１０】
図１は、本発明の第１の実施形態におけるデジタルコンテンツ表示システムの全体構成を示す。
【００１１】
この実施形態では、デジタルコンテンツは、静止画の画像ファイル（例えば、ＪＰＥＧ形式の画像ファイル）であり、携帯端末は、携帯電話機２０であり、デジタルコンテンツ出力装置は、携帯電話機２０と通信可能な表示装置３０である。以下、詳述する。
【００１２】
携帯電話機２０は、表示装置３０の近距離通信部３１と通信するための近距離通信部１３と、通話等のためのアンテナ１と、表示部６と、キー入力部７と、記憶媒体２１を装着する為の記憶媒体装着部１２とを備える。
【００１３】
表示部６は、所定のディスプレイデバイス、例えば、LCD（Liquid Crystal Display）或いはELD(Electro Luminescence Display)である。
【００１４】
記憶媒体２１は、可搬型の記憶媒体、例えば、不揮発性のカード型メモリである。
【００１５】
表示装置３０は、記憶媒体２１を装着するための記憶媒体装着部３２と、携帯電話機１の近距離通信部１３と通信するための近距離通信部３１と、表示部４３とを備えている。表示装置３０は、携帯電話機１からの所定信号に基づいて、記憶媒体装着部３２に装着された記憶媒体２１から画像ファイルを読み出し、読み出した画像ファイル内の画像を表示部４３に表示する。表示装置３０は、本実施形態ではテレビジョン受信機が採用されるが、勿論、それに限らず、ディスプレイ画面を備えた種々の機器、例えば、PC（Personal Computer）用途のモニタ等が採用されても良い。
【００１６】
表示部４３は、例えば、CRT（Cathode Ray Tube）であるが、勿論、それに限らず、LCD（Liquid Crystal Display）やPDP（Plasma
Display Panel）、或いはELD(Electro Luminescence Display)といった他のディスプレイデバイスであっても良い。
【００１７】
近距離通信部３１及び携帯電話機２０の近距離通信部１３としては、例えば、赤外線通信装置や、IEEE８０２.１１等の微弱電波を利用する無線通信装置が考えられるが、本実施形態では、近距離通信部１３と赤外線通信装置が採用される。
【００１８】
この第１実施形態では、以下のような流れで、ユーザ所望の画像ファイルが表示装置３０の表示部４３に表示される。
【００１９】
携帯電話機２０は、記憶媒体２１が記憶媒体装着部１２に装着された後、その記憶媒体２１内の１以上の画像ファイルに基づいて、後述のアルバム管理ファイル（１以上の画像ファイルの画像ファイル属性情報）を生成し、後述する内部の記憶部８（図２参照）で記憶する（また、そのアルバム管理ファイルそれ自体又は後述のアルバム管理名を記憶媒体２１に格納しても良い）。これにより、記憶媒体２１が記憶媒体装着部１２から取り外され、且つ、携帯電話機２０の電源がオフ状態になった後でも、携帯電話機２０の電源がオン状態でありさえすれば、携帯電話機２０は、記憶部８で記憶しているアルバム管理ファイルに基づいて、いつでも、後述の画像選択ＧＵＩを生成して表示することができる。
【００２０】
携帯電話機２０は、ユーザによるキー入力部７の操作により、上記記憶したアルバム管理ファイルに基づいて、上記１以上の画像ファイルのうちユーザ所望の画像ファイルを選択するための画像選択ＧＵＩ（例えば、ファイル名又はサムネイル画像による１以上の画像メニュー要素の一覧リスト）を生成して表示部６に表示する。そして、その画像選択ＧＵＩからユーザ所望の画像ファイルが選択されたならば、携帯電話機２０は、選択された画像ファイルに関する選択画像情報（例えば、その画像ファイルのファイル名を含む情報）を、近距離通信部１３から出力する。
【００２１】
表示装置３０は、携帯電話機２０から取り外された記憶媒体２１が記憶媒体装着部３２に装着された後、近距離通信部３１を介して選択画像情報を受信したならば、その選択画像情報から識別される画像ファイルを、記憶媒体装着部３２を介して記憶媒体２１から読出して表示部４３に表示する。
【００２２】
以下、携帯電話機２０及び携帯電話機３０の構成について詳細に説明する。
【００２３】
図２は、携帯電話機２０の構成を示すブロック図である。
【００２４】
符号１はアンテナ、符号２は、音声信号や映像信号の送受信を行う無線回路部、符号３は符号復号処理部、符号４はマイク、符号５は受話用スピーカである。また、符号６は表示部、符号７は、電話番号や文字を入力するダイヤルキーや、カーソルの移動指示や機能選択を行うための機能キー等のキー入力部である。符号８は、ROM或いはRAM等の記憶部であり、符号９は、CPU（中央処理装置）などの制御部である。記憶部８は、制御部９の制御方法の記憶や処理の一時記憶に使用する。符号１０はスピーカ、符号１１は、カメラ等の撮影部であり、符号２１は、取り外し可能なメモリカード等の記憶媒体であり、符号１２は、記憶媒体２１を装着するための記憶媒体装着部であり、符号１３は、赤外線通信装置等の近距離通信部である。
【００２５】
アンテナ１は、空中を伝送されてきた電波を受信し、高周波電気信号に変換し、無線回路部２に入力する。また、アンテナ１は、無線回路部２から出力された高周波電気信号を電波に変換して送信する。無線回路部２は、制御部９の指示に基づき、アンテナ１で受信した高周波電気信号を復調し、符号復号処理部３に入力する。また無線回路部２は、符号復号処理部３の出力信号に変調処理を施し、高周波電気信号に変換してアンテナ１に出力する。
【００２６】
符号復号処理部３は、制御部９の制御に従って無線回路部２の出力信号に復号処理を施し、音声データは受話用スピーカ５に出力し、文字や画像等のデータは制御部９に出力する。また、符号復号処理部３は、マイク４から入力されたユーザの声、又は、ユーザがキー入力部７を操作して編集した文字や画像等のデータに符号化処理を施し、無線回路部２を通じてアンテナ１から送信する。
【００２７】
制御部９は、符号復号処理部３，無線回路部２及びアンテナ１を使用して着信待ちを行う。着信があった場合、スピーカ１０からアラーム等の着信音またはメロディを発してユーザに着信があったことを通知すると共に、発信元の電話番号または電子メールアドレスを表示部６に表示する。そして、ユーザがキー入力部７を操作することにより、通話または受信した電子メールが閲覧できるように符号復号処理部３，無線回路部２，表示部６を制御する。
【００２８】
また、制御部９は、ユーザがキー入力部７を操作して入力した電話番号や電子メールを表示部６に表示すると共に、符号復号処理部３，無線回路２を制御して発呼を行い、相手先との通話または電子メールの送受信を行う。さらに制御部９は、撮影部１１から出力された撮影画像を表示部６に表示すると共に、JPEG（Joint Photographic Experts Group）等の静止画ファイルやMPEG（Moving Picture
Experts Group）等の動画ファイルを生成し、記憶部８や記憶媒体装着部１２に装着している記憶媒体２１に保存させる。制御部９は、ユーザによるキー入力部７の操作により、記憶媒体２１に格納されている画像ファイルを表示装置３０に表示させて鑑賞するビューワ制御機能が指定された場合、ビューワ制御機能を起動する為の情報として、記憶媒体２１のディレクトリ構造と保存されている画像ファイルのファイル名やファイルサイズ、最終更新日等のファイル情報や、記憶媒体２１に保存されている画像ファイルのサムネイル画像が記憶部８に格納されているかを確認する。格納されていないと判断した場合、制御部９の制御により、記憶媒体２１のディレクトリ構造と保存されている画像ファイルのファイル名やファイルサイズ、最終更新日等のファイル情報を記憶部８に格納する。さらに制御部９の制御により、記憶媒体２１に保存されている画像ファイルのサムネイル画像を記憶部８に格納する。サムネイル画像の格納方法としては、予め記憶媒体２１に保存してあったサムネイル画像を記憶部８にコピーしても良いし、原画像から新たに生成しても良い。
【００２９】
このようにして、記憶部８には、記憶媒体２１のディレクトリ構造と保存されている画像ファイルのファイル名やファイルサイズ、最終更新日等のファイル情報、及びサムネイル画像の一群が記録されたファイル（以下、「アルバム管理ファイル」と言う）が記憶される。アルバム管理ファイルには、ユーザが任意に作成された又は自動的に定められた管理ファイルの名称（例えば「album１」、以下、「アルバム管理名」と言う）や、作成された日時の情報があっても良いし、複数に分かれていても良い。このアルバム管理ファイルにより、後でユーザが記憶媒体２１に格納されていた画像を見ようとした時に、携帯電話機２０の記憶媒体装着部１２に記憶媒体２１が装着していなくても、携帯電話機２０の所定のメニュー画面からアルバム管理名を選択することで、後述するビューワ制御を行う事が可能となる。アルバム管理ファイルは、記憶部８だけでなく、記憶媒体２１にも格納し、本実施形態では、記憶部８と記憶媒体２１に格納するアルバム管理ファイルを同一のファイルとするが、必ずしも同一ファイルでなく、例えば、記憶媒体２１にはアルバム管理ファイルの管理名称のみが記憶されても良い。
【００３０】
制御部９は、ビューワ制御機能を起動する為の情報（つまりアルバム管理ファイル）が記憶部８に格納されている事を認識した場合、表示部６にメッセージを表示するか、或いは、スピーカ１０から所定のアラーム、メロディ又は音声メッセージ等を鳴らすことにより、記憶媒体装着部１２から記憶媒体２１を取り出して表示装置３０に装着しても良い事をユーザに通知する。制御部９は、最初から記憶媒体２１が記憶媒体装着部１２に装着されていない場合、若しくは記憶媒体装着部１２から記憶媒体２１が取り外されたことが検出された場合、記憶部８に予め登録しておいた表示装置３０の通信コードを読み出し、近距離通信部１３を介して、表示装置３０がビューワ表示を行う準備の為、ビューワ表示起動信号を表示装置３０に送信する。さらに、制御部９は、アルバム管理名を表示装置３０に送信し、且つ、ビューワ起動時に作成していたサムネイル画像若しくはファイル名に基づいて、１以上の画像ファイルからユーザ所望の画像ファイルの選択を受けるための画像選択ＧＵＩ（例えば、１以上の画像メニュー要素として１以上のサムネイル画像又はファイル名を含むメニュー画面形式のＧＵＩ）を生成して表示部６に表示させ、ユーザが表示装置３０に表示させる画像を選択可能にする。ユーザによるキー入力部７の操作により、表示部６に表示された画像選択ＧＵＩを介して、特定画像ファイルの表示や特定ディレクトリ内の画像ファイルの連続再生等の選択を受けると、制御部９は、記憶部８に予め登録しておいた表示装置３０の所定通信コードを読み出し、近距離通信部１３を介してユーザが指示した機能に対応した制御信号（例えば、ユーザに選択された画像メニュー要素に対応した画像ファイルを識別するための情報を含んだ制御信号）を表示装置３０へ送信する。
【００３１】
以上が、携帯電話機２０についての説明である。携帯電話機２０の記憶部８にアルバム管理ファイルが記憶される場合、制御部９は、そのファイルの作成の基になったファイル情報等が格納されている記憶媒体２１に、同一のアルバム管理ファイル又はそれのアルバム管理名を格納する。
【００３２】
次に、表示装置３０について説明する。
【００３３】
図３は、表示装置３０の構成を示すブロック図である。
【００３４】
符号３４はアンテナ、符号３５はチューナ部、符号３６は選局した電波を復調して信号に変換する為の復調部、符号３７は、音データをデコードする為のオーディオデコード部、符号３８は、映像データをデコードする為の映像デコード部、符号３９は、入力された音声信号に対し、D/A変換を行うDAC(Digital to Analog Converter)、符号４０は、スピーカである。符号３１は、赤外線通信装置等の近距離通信部であり、符号３２は、取り外し可能なメモリカード等の記憶媒体を装着する記憶媒体装着部、符号３３は、CPUなどの制御部、符号４１は、制御部３３の制御方法の保持や処理の一時記憶等に使用する記憶部（例えばＲＡＭ）、符号４２は表示制御部、符号４３は表示部である。
【００３５】
空中を伝送された電波は、アンテナ３４で受信し、チューナ部３５に入力される。チューナ部３５は、制御部３３の制御に従い、受信した電波から所望の放送を選局し、復調部３６に信号を供給する。復調部３６は、入力された信号から音声信号を復調してDAC３９へ供給すると共に、映像信号を復調して表示制御部４２へ供給する。DAC３９は、入力された信号をD/A変換してスピーカ４０へ供給する。表示制御部４２は、制御部３３の制御に従い映像デコード部３８や、制御部３３からの映像データを表示部４３へ表示させる。
【００３６】
携帯電話機２０の近距離通信手段１３から送信された種々の信号は、表示装置３０の近距離通信手段３１が受信する。
【００３７】
制御部３３は、記憶部４１若しくは記憶媒体２１に格納された画像ファイルを表示するビューワ機能を起動する為のビューワ表示起動信号を受信し、さらにアルバム管理名を受信した場合、そのアルバム管理名又はそれを有するアルバム管理ファイルが、記憶部４１若しくは記憶媒体装着部３２に装着されている記憶媒体２１に存在するか否かを識別する。制御部３３は、アルバム管理名若しくはアルバム管理ファイルが存在しない場合は、アルバム管理ファイルで指定された画像ファイル群が格納されている記憶媒体２１を装着する旨のメッセージを、表示制御部４２を介して表示部４３に表示する。一方、制御部３３は、指定されたアルバム管理名又はアルバム管理ファイルが存在していれば、記憶媒体２１に格納されている画像ファイルのサムネイル画像を読み出して表示し、携帯電話機２０からの制御信号を待つ。携帯電話機２０から任意の画像ファイルを表示するような制御信号を受信した場合、制御部３３は、その制御信号から識別される画像ファイル（例えば、その制御信号に含まれるファイル名又はパスを有する画像ファイル）を表示部４３に表示する。
【００３８】
図４は、本実施形態におけるアルバム管理ファイルの一例を示す。
【００３９】
符号１００は、管理番号である。これは、携帯電話機２０の制御部９によって、記憶媒体２１内の各ディレクトリ毎及び各ファイル毎に対して割り付けられた番号である。
【００４０】
符号１０１はディレクトリ名であり、符号１０２はファイル名である。符号１０３は、データ種類であり、その管理番号がディレクトリであるか、ファイルであるかを区別するためのものである。
【００４１】
符号１０４は、対応するディレクトリ若しくはファイルの作成日であり、符号１０５は、その作成日における作成時刻である。符号１０６は登録数であり、そのディレクトリの下層にあるディレクトリ及びファイル総数を示す。
【００４２】
以上のような、記憶媒体２１のディレクトリ情報やファイル情報が記録されたアルバム管理ファイルを、携帯電話機２０内の記憶部８に格納する事で、記憶媒体２１が携帯電話機から取り外れた後でも、携帯電話機から表示装置に表示する画像を選択する事を可能とする（すなわち、上述した画像選択ＧＵＩの表示が可能となる）。尚、図４に示したアルバム管理ファイルはほんの一例であり、ファイルサイズ等の他の情報が含まれていても良い。また、アルバム管理ファイルが、一つ又は複数のファイルで構成されていても良い。
【００４３】
以下、携帯電話機２０及び表示装置３０における動作流れを説明する。
【００４４】
図５及び図６は、携帯電話機２０の動作流れを示す。
【００４５】
ユーザが携帯電話機２０のキー入力部７を操作して、携帯電話機２０に予め用意されている所定のメニュー画面を介してビューワ制御機能の起動の選択を受けると、ビューワ制御機能（例えばコンピュータプログラム）が制御部９に読み込まれて起動し（Ｓ１）、制御部９は、別のメニュー画面を表示して、ユーザは既に携帯電話機２０内に格納されているアルバム管理ファイルで管理されている画像を鑑賞するか、又は、装着されている記憶媒体２１内の画像を鑑賞する為、新規にアルバム管理ファイルを生成するかの選択を受け付ける（Ｓ２）。
【００４６】
Ｓ２において、新規にアルバム管理ファイルを生成する事が選択された場合（Ｓ２でYes）、制御部９は、記憶媒体装着部１２に記憶媒体２１が装着されているか否かを検出する（Ｓ３）。
【００４７】
Ｓ３の結果、記憶媒体２１が装着されていないことが検出された場合（Ｓ３でＮｏ）、制御部９は、画像ファイルが格納されている記憶媒体２１を装着する旨のメッセージを表示する（Ｓ１１）。
【００４８】
Ｓ３の結果、記憶媒体２１が記憶媒体装着部１２に装着されていることが検出された場合（Ｓ３でＹｅｓ）、制御部９は、記憶媒体２１内のディレクトリ構造とファイル情報とを取得する（Ｓ４）。
【００４９】
次に、制御部９は、記憶媒体２１内に画像ファイルが格納されているか否かを判断する（Ｓ５）。
【００５０】
Ｓ５で、画像ファイルが格納されていないことが判断された場合（Ｓ５でＮｏ）、制御部９は、記憶媒体２１に画像ファイルが格納されていない旨のメッセージを表示部３３に表示し（Ｓ１２）、さらに、ビューワを終了するか否かの選択をユーザから受け付ける（Ｓ１３）。ビューワを終了する事の選択を受けた場合（Ｓ１３でＮｏ）、制御部９は、ビューワを終了し（Ｓ１７）、終了しないことの選択を受けた場合（Ｓ１３でＹｅｓ）、記憶媒体２１が取り外され、画像ファイルが格納された別の記憶媒体２１が挿入される事を待つ（S１４）。その結果、その別の記憶媒体２１の挿入を検知した場合（Ｓ１４でＹｅｓ）、制御部９は、Ｓ５の動作、すなわち、記憶媒体２１内に画像ファイルが格納されているか否かを判断する。
【００５１】
Ｓ５で、画像ファイルが格納されていることが判断された場合（Ｓ５でＹｅｓ）、制御部９は、さらに、記憶媒体２１内のディレクトリ構造や画像ファイルのサムネイル画像を格納するだけの空き容量が記憶部８に有るか否かを判別する（Ｓ６）。
【００５２】
Ｓ６で、携帯電話機２０内の記憶部８に上記空き容量があると判断した場合（Ｓ６でＹｅｓ）、制御部９は、記憶媒体２１内のディレクトリ構造とファイル情報（例えばファイル名、作成日時等）から、アルバム管理ファイルを生成し、記憶部８に格納する（Ｓ７）。さらに、制御部９は、記憶媒体２１内の画像ファイルのサムネイル画像を生成し（若しくは予め用意されているサムネイル画像を記憶媒体２１から取得し）、それらサムネイル画像を所定のファイル情報（例えばファイル名）と対応付けて記憶部８に格納する（Ｓ８）。その後、制御部９は、携帯電話機２０から記憶媒体２１を取り外して表示装置３０へ装着する旨のメッセージを表示部６に表示し（Ｓ９）、記憶媒体２１が取り外される事を待つ（Ｓ１０）。このＳ１０で、記憶媒体２１が取り外された事が検知された場合（Ｓ１０でＹｅｓ）、若しくは、上述したＳ２で、既に記憶部８に格納されているアルバム管理ファイルからビューワ制御を行う事の選択をユーザから受けた場合（Ｓ２でＮｏ）、制御部９は、後述するＳ２０へ移行する。
【００５３】
Ｓ６で、携帯電話機２０内の記憶部８に上記空き容量が無いと判断された場合（Ｓ６でＹｅｓ）、制御部９は、記憶部８から不要なデータを削除するか否かの選択をユーザから受け付ける（Ｓ１５）。Ｓ１５で、削除することが選択された場合（Ｓ１５でＹｅｓ）、制御部９は、ユーザによるキー操作に応答してユーザ不要のデータを削除し（Ｓ１６）、Ｓ６へ移行する。一方、Ｓ１５で、ユーザからファイルを削除しない事の選択を受けた場合（Ｓ１５でＮｏ）、制御部９は、ビューワを終了する（Ｓ１７）。
【００５４】
以上の一連の流れにおいて、携帯電話機２０としてビューワ制御を行う用意が出来ると、制御部９は、記憶部８に予め登録しておいた表示装置３０の通信コードを読み出し、近距離通信部１３を介して、表示装置３０がビューワ表示を行う準備の為、ビューワ表示起動信号を表示装置３０に送信する。更に、さらに、制御部９は、アルバム管理名を表示装置３０に送信し、且つ、ビューワ起動時に作成していたサムネイル画像若しくはファイル名に基づいて、１以上の画像ファイルからユーザ所望の画像ファイルの選択を受けるための画像選択ＧＵＩを生成して表示部６に表示させ、ユーザが表示装置３０に表示させる画像を選択可能にする。以下、具体的に説明する。
【００５５】
図６に示すように、制御部９は、表示部６に、所定の画像選択ＧＵＩ（例えば、１以上のサムネイル画像と、それら１以上のサムネイル画像の中から、表示装置３０にオリジナル画像を表示したいサムネイル画像の選択するための表示画像選択枠）の表示を行い（Ｓ２１）、ユーザからのキー入力を待つ（Ｓ２２）。
【００５６】
制御部９は、ユーザからのキー入力を検知し、それが十字キー「左」であれば（Ｓ２３でＹｅｓ）、表示画像選択枠を左に移動し（Ｓ２７）、その後、Ｓ２２へ移行して再びユーザからのキー入力待ちとなる。十字キー「右」を検知すれば（Ｓ２４でＹｅｓ）、制御部９は、表示画像選択枠を「右」に移動し（Ｓ２８）、ユーザからのキー入力待ちに移行する（Ｓ２２）。十字キー「上」を検知すれば（Ｓ２５）、制御部９は、表示画像選択枠を「上」に移動し（Ｓ２９）、ユーザからのキー入力待ちに移行する（Ｓ２２）。十字キー「下」を検知すれば（Ｓ２６）、制御部９は、表示画像選択枠を「下」に移動し（Ｓ３０）、ユーザからのキー入力待ちに移行する（Ｓ２２）。終了キーを検知した場合（Ｓ３１）、制御部９は、さらに本当に終了して良いかを否かの選択をユーザから受け付け（Ｓ３４）、良い旨の選択を受けたならば（Ｓ３４でＹｅｓ）、ビューワ制御機能を終了し（Ｓ３６）、キャンセルの旨の選択を受けた場合は（Ｓ３４でＮｏ）、ユーザからのキー入力待ちに移行する（Ｓ２２）。また、制御部９は、Ｓ２２において、MENUキーの操作が検知された場合は（Ｓ３２でＹｅｓ）、表示部６に所定メニュー画面を表示し、ユーザによるビューワ制御機能の各種設定を可能にする（Ｓ３５）。確定キーの押下が検知された場合は（Ｓ３３）、制御部９は、表示画像選択枠で指定している画像ファイルを表示装置３０に表示するための制御信号（例えば、選択されたサムネイル画像に対応したファイル名及びそのファイル名を持つ画像ファイル内のオリジナル画像を表示させる旨を含んだ信号）を、近距離通信部１３から表示装置３０に送信する（Ｓ３７）。表示装置３０にビューワ表示起動信号が送信された後、制御部９は、ユーザからのキー入力待ちへ移行する（Ｓ２２）。また、ユーザに押されたキーが、予め機能が割り振られていないキーの場合は（Ｓ３３でＮｏ）、制御部９は、何もせず、再びＳ２２のキー入力待ちへ移行する。
【００５７】
以上が、携帯電話機２０の動作流れである。なお、図５及び図６に示したフローチャートは単なる一例であり、この流れに限定されなくても良い。例えば、図５及び図６に示したフローチャートは、ユーザが、携帯電話機２０に表示された１以上のサムネイル画像の中から、表示装置３０に表示させたい画像を選択し、確定キーを押した後に初めて選択されたサムネイル画像に対応したオリジナル画像が表示装置３０に表示される例であるが、これに限らず、例えば、ユーザの十字キー操作に連動して（つまり確定キーの押下を待つことなく）、表示画像選択枠で選択されている画像を表示装置３０に表示させても良い。
【００５８】
次に、表示装置３０の動作流れを説明する。
【００５９】
図７は、表示装置３０の動作流れを示す。
【００６０】
表示装置３０の制御部３３は、近距離通信部３１への制御信号の受信を監視している。
【００６１】
制御部３３は、携帯電話機２０からビューワ表示起動信号を受信し（Ｓ５０）、且つ、ユーザ任意のアルバム管理ファイルのアルバム管理名を受信した場合（Ｓ５１）、表示装置３０内の記憶部４１及び記憶媒体２１内に、受信したアルバム管理名又はそれを持つアルバム管理ファイル（以下、「指定アルバム管理名又はファイル」と言う）が存在するかを判断する（Ｓ５３）。
【００６２】
Ｓ５３の結果、指定アルバム管理名又はファイルが格納されていなければ（Ｓ５３でＮｏ）、制御部３３は、その旨をメッセージを表示する等の所定方法でユーザに通知し（Ｓ６４）、指定アルバム管理名又はファイルが格納された別の記憶媒体２１が記憶媒体装着部３２に装着されるのを待つ（Ｓ６５）。制御部３３は、新たな記憶媒体２１が装着されたことが検出されたら、Ｓ５２の動作を行う。
【００６３】
Ｓ５３の結果、記憶部４１又は記憶媒体２１内に指定アルバム管理名又はファイルが格納されていることが検出された場合（Ｓ５３でＹｅｓ）、制御部３３は、ビューワ制御機能を起動し（例えばビューワ制御プログラムを読み込み）、記憶媒体２１内に格納されている１以上の画像ファイルにそれぞれ対応した１以上のサムネイル画像を一覧表示する（Ｓ５４）。その後、制御部３３は、携帯電話機２０からの制御信号の入力を待つ（Ｓ５５）。
【００６４】
制御部３３は、制御信号（例えば制御コード）の入力を検出した後は、制御信号に割り当てられた機能に従う処理を実行する。例えば、制御部３３は、ビューワ機能終了に割り当てられた制御信号を検出した場合（Ｓ５６でYes）、ビューワ機能を終了する（Ｓ６１）。また、制御部３３は、メニュー表示に割り当てられた制御信号を検出した場合は（Ｓ５７でYes）、メニュー画面を表示し（Ｓ６２）、メニュー画面でのユーザの操作が終れば、再び、携帯電話機２０からの制御信号の入力を待つ（Ｓ５５）。また、制御部３３は、画像ファイル表示に割り当てられた制御信号を検出した場合（Ｓ５８でYes）、その制御信号に基づき、携帯電話機２０から指示された画像ファイル名（若しくは、ファイルを特定する為の任意のIDコード）に一致するファイルが記憶媒体２１内に存在するか否かを判別する（Ｓ５９）。その結果、一致する画像ファイルが存在すれば（Ｓ５９でＹｅｓ）、制御部３３は、表示部４３にその画像ファイルを表示し（Ｓ６３）、一方、一致する画像ファイルが存在しなければ（Ｓ５９でNo）、表示部４３にエラーメッセージを表示し（Ｓ６０）、Ｓ５５へ遷移して携帯電話機２０からの次の制御信号入力を待つ。また、携帯電話機２０から受信した制御信号が何の機能にも割り当てられていない制御信号であった場合は、制御部３３は、何もせずＳ５５へ遷移し、次の制御信号入力を待つ。
【００６５】
図８は、携帯電話機２０からビューワ制御機能を起動するときの画面遷移例を示す。
【００６６】
符号５０は、ビューワ制御機能メニュー画面であり、携帯電話機２０の所定メニュー画面から、ビューワ制御機能を選択した時に表示される画面例である。制御部９は、ビューワ制御機能メニュー画面５０を介して、ビューワ制御機能を起動することを意味するビューワ制御機能起動５１と、ビューワ制御機能の各種設定を行うことを意味する機能設定５２との選択を受け付ける。
【００６７】
ビューワ制御機能メニュー画面５０で機能設定５２の選択を受けると、制御部９は、機能設定画面５５を表示する。制御部９は、その画面５５を介して、以下の（１）〜（４）の項目、
（１）表示装置３０と通信を行う際の制御信号の規定を選択する為の機種コード設定５６、
（２）ビューワ制御を行う際の携帯電話機側表示形式を選択する為の表示形式設定５７、
（３）ユーザが選択した画像ファイルを表示装置３０に表示させるタイミング（例えば、確定キーを押してオリジナル画像を表示させるか或いは表示画像選択枠の移動に連動して表示させるか）を選択する画面更新方法設定５８、
（４）記憶媒体２１内の画像ファイルを一定間隔で自動表示するスライドショウ機能を行う際の各種設定を行うスライドショウ設定５９、
の選択を受け付ける。制御部９は、この機能設定画面５５を介して、機種コード設定５６を選択を受けると、機種コード設定画面６０を表示する。
【００６８】
制御部９は、機種コード設定画面６０を介して、各表示装置メーカの表示装置機種の選択を受け付ける。ユーザが表示装置３０として使用する表示装置３０の機種が登録されていない場合、ユーザの操作に応答して、制御部９は、携帯電話網を介し、インターネット等の通信ネットワークから、未登録の機種コード情報を取得しても良い。
【００６９】
機能設定画面５５を介して表示形式設定５７の選択を受けた場合、制御部９は、表示形式設定画面６５を表示する。この画面６５を介して、制御部９は、以下の２つのメニュー要素、
（１）ビューワ制御を行う際における携帯電話機２０での画像ファイル選択方法としてサムネイルメニューを使用する（つまりサムネイル画像からユーザ所望画像ファイルを選択する）サムネイル形式６６、
（２）上記画像ファイル選択方法としてファイル名メニューを使用する（つまりファイル名からユーザ所望画像ファイルを選択する）ファイル名形式６７、
の選択をユーザから受け付ける。
【００７０】
機能設定画面５５を介して画面更新方法設定５８の選択を受けた場合、制御部９は、画面更新方法設定画面７０を表示する。この画面７０を介して、制御部９は、以下の２つのメニュー要素、
（１）ユーザが選択した画像ファイルを表示装置３０に表示させるタイミングを、ユーザのキー操作により表示画像選択枠を移動させた場合に、表示画像選択枠に追従して自動的に表示するカーソル追従方式７１、
（２）ユーザが表示させたい画像に表示画像選択枠を移動させ、確定キーを押した後、表示装置３０に表示させる選択決定方式７２、
の選択を受け付ける。
【００７１】
機能設定画面５５を介してスライドショウ設定５９の選択を受けた場合、スライドショウ設定画面７３を表示し、制御部９は、この画面７３を介して、記憶媒体２１内の画像ファイルを一定間隔で自動表示するスライドショウ機能を行う際の各種設定を受け付ける。具体的には、例えば、制御部９は、メニュー要素として表示順序７４が選択された場合、スライドショウを行う際における画像ファイルの表示順序を名前順で表示するか、或いは日付順で表示するか等の表示順序の設定を受ける。また、制御部９は、サイズ調整７５が選択された場合、スライドショウを行う際に表示画像を表示装置の解像度に合わせてサイズ調整をして表示するか、画像サイズを変えないで表示するかの設定を受ける。また、制御部９は、フォルダ設定７６の選択を受けた場合、スライドショウを行う画像ファイルを記憶媒体内の全画像について行うか、或いは記憶媒体内の特定のディレクトリに格納されている画像ファイルのみについて行うかの設定を受ける。また、制御部９は、再生スピード設定７７の選択を受けた場合、スライドショウ再生時の画像切り替え間隔時間長の設定を受ける。
【００７２】
ビューワ制御機能メニュー画面５０を介してビューワ制御機能起動５１の選択を受けると、制御部９は、アルバム選択画面８０を表示する。この画面８０を介して、制御部９は、以下の２つのメニュー要素、
（１）記憶媒体２１に格納されている画像を鑑賞する為、新たに記憶媒体２１からアルバム管理ファイルを生成することの命令を意味するアルバム新規作成８１、
（２）過去に記憶媒体２１から生成されて記憶部８に格納されている１以上のアルバム管理ファイルを利用することを意味する作成済みアルバム８２、
のうちのいずれかの選択を受け付ける。アルバム新規作成８１の選択を受けると、図５〜図７を用いて説明したように、制御部９は、ビューワ制御機能を行う為に、記憶媒体２１内のディレクトリ構造やファイル情報を携帯電話機２０内の記憶部８に取り込み、さらに画像ファイルのサムネイル画像を記憶部８に格納し、ビューワ制御を行う為の準備を行う。ビューワ制御を行う用意が出来、記憶媒体２１が取り外されるか、或いは、アルバム選択画面８０で作成済みアルバム８２（例えばユーザ所望のアルバム管理名）の選択を受けると、制御部９は、上述した画像選択ＧＵＩ８５を表示する。制御部９は、この画像選択ＧＵＩ８５を介して、ユーザ所望の画像の選択を受け付ける。尚、画像選択ＧＵＩ８５は、サムネイル画像からユーザ所望の画像を選択するためのサムネイル形式の場合の例であり、制御部９は、そのＧＵＩ８５に代えて、ファイル名から選択するような別の画像選択ＧＵ９０を表示しても良い。
【００７３】
以上が、第１実施形態についての説明である。なお、第１実施形態では、携帯端末として携帯電話機を例に採り説明したが、携帯電話機２０の代わりに、PDA（Personal Digital Assistant）等の他の携帯端末であっても良い。また、表示部６をタッチパネル式にし、ユーザが表示部６を指またはペンによりタッチすることにより、文字入力や機能選択を行うようにしても良い、これにより、キー操作に慣れていない場合であっても、容易に入力操作を行うことができる。また、デジタルコンテンツは、携帯電話機２０を用いて撮影された静止画又は動画の画像ファイルに限らず、例えば、携帯電話機２０又は別のレコーダを用いて録画されたテレビジョン番組の動画ファイル、携帯電話機２０又は別の録音装置を用いて録音された音楽又は音声の音声ファイルなどであっても良い。
【００７４】
上述した第１実施形態によれば、記憶媒体２１内のディレクトリ構造やファイル情報に基づいて、記憶媒体２１内の画像ファイルに関する情報が記録されたアルバム管理ファイルが携帯電話機２０に記憶され、そのアルバム管理ファイルに基づいて、ユーザ所望の画像を選択するための画像選択ＧＵＩが表示される。そして、ユーザが携帯電話機２１を操作し画像選択ＧＵＩを用いてユーザ所望の画像を選択すると、表示装置３０に、その画像が表示されるすなわち、ユーザは、表示装置３０側に存在する１以上の画像ファイルのうちのユーザ所望の画像を、携帯電話機２０を操作して表示装置３０に表示させることができる。このため、ユーザは、表示装置３０本体又はそれに付属のリモートコントローラの操作をいちいち覚える必要がないので、ユーザにとって便利である。
【００７５】
また、第１実施形態によれば、携帯電話機２０と通信可能に接続された外部記憶媒体２１に記憶されている１以上のコンテンツに関するアルバム管理ファイル（抽象的には、例えば携帯端末用コンテンツ情報）が記憶され、その携帯端末用コンテンツ情報に基づいて画像選択ＧＵＩが表示される。このため、携帯電話機２０が１以上のコンテンツそれ自体を取得することができなくても、ユーザ所望のコンテンツを表示装置３０から出力させることができる。
【００７６】
ところで、本発明について、上述した第１実施形態の他に、複数の別の実施形態が考えられる。以下、それら別の実施形態について説明する。なお、以下の説明では、第１実施形態と完全に又は実質的に重複する部分については説明を省略又は簡略する。
【００７７】
まず、本発明の第２実施形態について説明する。
【００７８】
（Ａ）第１のバリエーション。
【００７９】
デジタルコンテンツ出力装置５０２（例えば表示装置３０）は、内部（又は外部）に、ハードディスク等の記憶装置５００を備えている。この記憶装置５００には、記憶媒体２１等の外部記憶装置（図示せず）からコンテンツ群（例えば、１以上のデジタルコンテンツやディレクトリ構造）がコピーされる都度に、新たな外部記憶装置ディレクトリ５０１が用意され、そのディレクトリ内に、外部記憶装置内のコンテンツ群が格納される。また、各ディレクトリ５００には、それに対応した外部記憶装置内にある固有情報も格納される。固有情報は、例えば、上記コンテンツ群から生成されるコンテンツ情報（一例として、上述したアルバム管理ファイル又はそれのアルバム管理名）である。
【００８０】
デジタルコンテンツ出力装置（以下、「出力装置」と略記）５０２は、図示しない携帯端末（例えば携帯電話機２０）からターゲット固有情報を受信した場合、記憶装置５００に、その固有情報を持つディレクトリ５０１が格納されているか否かを判断する。その結果、肯定的な判断結果が得られた場合は、出力装置５０２は、以後、携帯端末から選択コンテンツ情報（例えば、携帯端末のＧＵＩにおいて選択されたデジタルコンテンツの識別情報）を受信した場合、選択コンテンツ情報に対応するデジタルコンテンツを、上記ターゲット固有情報を持つディレクトリ内から検索する（存在しないことが検出された場合は、他のディレクトリから検出するか、或いは、存在しない旨のメッセージを音声出力又は文字表示しても良い）。一方、上記判断の結果、否定的な判断結果が得られた場合は、出力装置５０２は、上記ターゲット固有情報が格納された外部記憶装置を出力装置５０２に通信可能に接続する旨のメッセージを音声出力又は文字表示しても良い。
【００８１】
また、この第２実施形態の第１バリエーションによれば、例えば、外部記憶装置内の１以上のデジタルコンテンツが記憶装置５００に複製された後、外部記憶装置内の１以上のデジタルコンテンツが全て消去されて新たに別の１以上のデジタルコンテンツが格納されるといったように、同一の外部記憶装置を使い回すことが可能である。
【００８２】
（Ｂ）第２のバリエーション。
【００８３】
携帯端末に記憶されるコンテンツ情報（例えば、携帯電話機２０の記憶部８に記憶されるアルバム管理ファイル）には、１以上のデジタルコンテンツにそれぞれ対応した１以上のコンテンツ識別情報（例えばファイル名及び／又はサムネイル画像）のみが記録される。携帯端末は、それら１以上のコンテンツ識別情報の中から所望のコンテンツ識別情報をコンテンツ選択ＧＵＩを介して受け付け、ユーザ所望のコンテンツ識別情報が選択された場合は、そのコンテンツ識別情報を出力装置に送信する。
【００８４】
出力装置は、携帯端末からコンテンツ識別情報を受信したら、そのコンテンツ識別情報を持つデジタルコンテンツを所定記憶装置（例えば記憶媒体２１）から検索して出力する（例えば表示する）。
【００８５】
次に、本発明の第３実施形態について説明する。
【００８６】
第３実施形態は、携帯端末が記憶するコンテンツ情報（例えばアルバム管理ファイル）及び／又は出力装置側に存在する１以上のデジタルコンテンツの更新方法に関するものである。以下、それについて考えられる複数のバリエーションを説明する。
【００８７】
（Ａ）第１のバリエーション。
【００８８】
出力装置（例えば表示装置３０）は、携帯端末から受信したコンテンツ識別情報（例えばデジタルコンテンツのファイル名）に対応したデジタルコンテンツを所定記憶装置（例えば記憶媒体２１）から取出すことができない場合に、その旨を表す選択コンテンツ不存在情報を生成し、携帯端末（例えば携帯電話機２０）に送信する。携帯端末は、記憶されているコンテンツ情報（例えばアルバム管理ファイル）から、受信した選択コンテンツ不存在情報に対応するデジタルコンテンツに関する情報（例えばファイル名）を削除する。これにより、以後、出力装置において出力不可能なデジタルコンテンツ（例えば出力装置側に存在しないデジタルコンテンツ）が携帯端末においてユーザに選択されてしまうことを未然に防ぐことができる。
【００８９】
（Ｂ）第２のバリエーション。
【００９０】
携帯端末は、出力装置に携帯用コンテンツ情報を送信する。
【００９１】
出力装置は、携帯端末から受信する携帯用コンテンツ情報と、外部記憶装置内の１以上のデジタルコンテンツ、又はその外部記憶装置から生成可能な出力装置用コンテンツ情報（例えばアルバム管理ファイル）とに基づいて、携帯端末において選択可能であるが出力装置が取出すことができない不足デジタルコンテンツ（例えば、携帯端末用コンテンツ情報には存在するが出力装置用コンテンツ情報には存在しない情報）、及び／又は、携帯端末において選択不可能であるが出力装置が取得することができる余剰デジタルコンテンツ（例えば、携帯端末用コンテンツ情報には存在しないが出力装置用コンテンツ情報には存在する情報）を把握し、把握された不足デジタルコンテンツ及び／又は余剰デジタルコンテンツに基づく差分コンテンツ情報を生成し、携帯端末に送信する。
【００９２】
携帯端末は、出力装置から受信した差分コンテンツ情報に基づいて、携帯端末用コンテンツ情報を更新する。
【００９３】
（Ｃ）第３のバリエーション。
【００９４】
出力装置は、携帯端末から携帯端末用コンテンツ情報を受信して所定記憶部（例えば記憶部４１）に記憶し、その携帯端末用コンテンツ情報を、外部記憶装置内の１以上のデジタルコンテンツに関する情報（例えば上述した出力装置用コンテンツ情報）にマッチするように修正した新たな携帯用コンテンツ情報を生成し、その新たな携帯用コンテンツ情報を携帯端末に送信する。
【００９５】
携帯端末は、所定記憶部（例えば記憶部８）に記憶されている携帯端末用コンテンツ情報を消去し、代わりに、出力装置から受信した新たな携帯端末用コンテンツ情報を記憶する。
【００９６】
（Ｄ）第４のバリエーション。
【００９７】
出力装置は、携帯端末から携帯端末用コンテンツ情報を受信して所定記憶部（例えば記憶部４１）に記憶し、その携帯端末用コンテンツ情報に基づいて、記憶媒体２１等の外部記憶装置内の情報を更新する。例えば、出力装置は、受信した携帯端末用コンテンツ情報には含まれていない情報に対応したデジタルコンテンツ（すなわち、その携帯端末用コンテンツ情報に基づいては選択されないデジタルコンテンツ）が外部記憶装置に存在することが認識された場合、そのデジタルコンテンツを外部記憶装置から消去する。
【００９８】
（Ｅ）第５のバリエーション。
【００９９】
上述した第１〜第４のバリエーションに基づく情報更新方法が、携帯端末及び／又は出力装置に設定されている情報に基づいて自動で又は手動で選択的に行われる。
【０１００】
具体的には、例えば、携帯端末及び／又は出力装置は、携帯端末と出力装置のどちらを優先するかを表す優先情報の入力をユーザから受け、その優先情報を所定記憶部（例えば記憶部８及び／又は記憶部４１）で記憶する。そして、携帯端末及び／又は出力装置は、以下の（１）及び（２）の情報、
（１）上記優先情報、
（２）携帯端末用コンテンツ情報、出力端末用コンテンツ情報、及び所定記憶装置（例えば記憶媒体２１等の外部記憶装置）内の１以上のデジタルコンテンツのうちの少なくとも２つ、
に基づいて、所定記憶装置内の１以上のデジタルコンテンツの中から所定のデジタルコンテンツを削除する。
【０１０１】
例えば、出力装置は、携帯端末から携帯端末用コンテンツ情報を受けた場合（又は、出力装置に接続された外部記憶装置内に存在しないコンテンツの選択を受けた場合）、携帯端末から受けた又は自身が記憶する優先情報が出力装置優先を表していれば、携帯端末用コンテンツ情報と出力装置用コンテンツ情報又は所定記憶装置内の情報とを比較することにより識別される上記余剰コンテンツが存在しても、それを消去せず、一方、上記優先情報が携帯端末優先を表していれば、余剰コンテンツを所定記憶装置から消去する。
【０１０２】
以上、本発明の幾つかの実施形態を説明したが、これらは本発明の説明のための例示であって、本発明の範囲をこれらの実施形態にのみ限定する趣旨ではない。本発明は、他の種々の形態でも実施することが可能である。
【０１０３】
例えば、携帯端末は、コンテンツ選択ＧＵＩを介して選択されたコンテンツを有している場合、そのコンテンツを有線又は無線でコンテンツ出力装置に転送し、コンテンツ出力装置は、携帯端末から受信したコンテンツを表示するようにしても良い。
【０１０４】
また、例えば、「コンテンツ出力装置」は、コンテンツを出力することができる装置であればどのようなものでも良く、例えば、テレビジョン装置等のようにディスプレイ画面を有する表示装置、印刷装置、又は音楽再生装置等を採用することが可能である。
【０１０５】
また、外部記憶装置としては、例えば、可搬型記憶媒体（例えば不揮発性のメモリカード）又は外付け式のハードディスク等を採用することが可能である。
【０１０６】
また、例えば、コンテンツ情報は、前記外部記憶装置から抽出された、前記１以上のコンテンツの属性に関するコンテンツ属性情報であっても良い。具体的には、例えば、１以上のコンテンツにそれぞれ対応した１以上のコンテンツ名（一例として、自動的に割振られた又はユーザが任意に定めたファイル名）及び／又はコンテンツを取得するまでのパスがある。コンテンツ属性情報には、コンテンツの種類に応じた種々の情報が含まれても良い（例えば、コンテンツが画像ファイルであれば、画像の撮影日時、その画像のサムネイル画像等が含まれていても良い）。また、この場合において、例えば、複数の外部記憶装置にそれぞれ対応した複数のコンテンツ属性情報が携帯端末の記憶手段に記憶されても良い。また、例えば、一つの外部記憶装置が使い回しされる場合、具体的には、外部記憶装置内の１以上のコンテンツが別の記憶装置（例えば、コンテンツ出力装置の内部又は外部の記憶装置）内に移動又は複製された後、それら１以上のコンテンツが全て消去されて上記外部記憶装置に新たに別の１以上のコンテンツが格納されるといったように、外部記憶装置が使用される場合は、前記移動された１以上のコンテンツのグループ毎にコンテンツ属性情報が記憶されても良い。
【０１０７】
また、例えば、コンテンツ出力装置は、外部記憶装置内の前記１以上のコンテンツに関する出力装置用コンテンツ情報を取得する出力装置取得手段と、前記取得された出力装置用コンテンツ情報を前記携帯端末に送信する出力装置送信手段とを備え、前記携帯端末は、前記コンテンツ出力装置から前記出力装置用コンテンツ情報を受信する携帯受信手段と、前記受信した出力装置用コンテンツ情報に基づいて、前記携帯端末用コンテンツ情報を更新する情報更新手段とを更に備えても良い。
【０１０８】
また、例えば、前記外部記憶装置が前記携帯端末と通信不可能に切断された後に、前記前記表示手段が前記選択画面を生成する、又は、前記送信手段が前記選択コンテンツ情報を前記コンテンツ出力装置に送信しても良い。具体的には、例えば、前記外部記憶装置が前記携帯端末から切断されたことが前記携帯端末において検出された後、又は、前記切断された外部記憶装置が前記コンテンツ出力装置に通信可能に接続されたことを所定方法により検出された後に（例えば、前記切断された外部記憶装置が前記コンテンツ出力装置に通信可能に接続されたことを表す情報をコンテンツ出力装置から受信した後）、前記前記表示手段が前記選択画面を生成する、又は、前記送信手段が前記選択コンテンツ情報を前記コンテンツ出力装置に送信しても良い。
【０１０９】
また、例えば、前記携帯端末の前記記憶手段は不揮発性の記憶装置（例えば、ＥＥＰＲＯＭ等の内部メモリ、又はメモリカード等の可搬型記憶媒体）であっても良い。これにより、携帯端末から前記外部記憶装置が切断されて携帯端末の電源がオフ状態になっても、携帯端末の電源がオン状態になりさえすれば、その携帯端末の携帯ディスプレイ画面に、切断された外部記憶装置からユーザ所望のコンテンツを選択するための前記選択ＧＵＩ画面の表示が可能になる。
【図面の簡単な説明】
【０１１０】
【図１】本発明の第１の実施形態におけるデジタルコンテンツ出力システムの全体構成を示す図。
【図２】携帯電話機２０の構成を示すブロック図。
【図３】表示装置３０の構成を示すブロック図。
【図４】アルバム管理ファイルの一例を示す図。
【図５】ビューワ制御を行う携帯電話機２０の動作フローチャート。
【図６】ビューワ制御を行う携帯電話機２０の動作フローチャート。
【図７】表示装置３０の動作フローチャート。
【図８】携帯電話機２０からビューワ制御機能を起動するときの画面遷移例を示す図。
【図９】第２実施形態の第１バリエーションにおけるデジタルコンテンツ出力装置の一例を示す。
【符号の説明】
【０１１１】
１…アンテナ、２…無線回路、３…符号復号処理部、４…マイク、５…レシーバ、６…表示部、７…キー入力部、８…記憶部、９…制御部、１０…スピーカ、１１…撮影部、１２…記憶媒体装着部、１３…近距離通信部、１４…携帯電話機側有線通信部、２０…携帯電話機、２１…記憶媒体、３０…表示装置、３１…表示装置側近距離通信部、３２…表示装置側記憶媒体装着部、３３…表示装置側記憶部、３４…表示装置側アンテナ、３５…チューナ部、３６…復調部、３７…オーディオデコード部、３８…映像デコード部、３９…DAC、４０…表示装置側スピーカ、４１…表示装置側記憶部、４２…表示制御部、４３…表示装置側表示部、４４…表示装置側有線通信部、５０…ビューワ制御機能メニュー画面、５１…ビューワ制御機能起動、５２…機能設定、５５…機能設定画面、５６…機種コード設定、５７…表示形式設定、５８…画面更新方法設定、５９…スライドショウ設定、６０…機種コード設定画面、６５…表示形式設定画面、６６…サムネイル形式、６７…ファイル名形式、７０…画面更新方法設定画面、７１…カーソル追従方式、７２…選択決定方式、７３…スライドショウ設定画面、７４…表示順序、７５…サイズ調整、７６…フォルダ設定、７７…再生スピード設定、８０…アルバム選択画面、８１…アルバム新規作成、８２…作成済みアルバム、８５…ビューワ制御機能実行画面、８６…サムネイル画像、８７…表示画像選択枠、９０…ファイル名形式時ビューワ制御機能実行画面、９１…表示画像選択枠
【図２】
2005157565.tif 000003
【図３】
2005157565.tif 000004
【図４】
2005157565.tif 000005
【図５】
2005157565.tif 000006
【図６】
2005157565.tif 000007
【図７】
2005157565.tif 000008
【図９】
2005157565.tif 000009
【図１】
2005157565.tif 000010
【図８】
2005157565.tif 000011